(57)【特許請求の範囲】
【請求項１】
透光状態に切換え可能な複数のセグメントによって写真フィルムに写し込まれるデータパターンを形成可能な液晶パネルと、写し込み可能なデータパターンに対応する複数の透光セグメントを備えた遮光マスクとを有し、前記遮光マスク側の前記透光セグメントの幅方向の中心位置と、前記液晶パネル側の対応する前記セグメントの幅方向の中心位置とが一致するように配置され、光源からの出射光を、前記液晶パネルおよび前記遮光マスクを介して取り出して写真フィルムの写し込み面を露光することによりデータの写し込みを行うカメラ用データ写し込み装置において、
前記液晶パネルの光出射側に前記遮光マスクが配置されており、当該遮光マスクの少なくとも一つの前記透光セグメントは、当該透光セグメントに対応する前記液晶パネルの側の前記セグメントに対して、前記セグメントの透過光による前記遮光マスク上の照明領域内に当該透光セグメントが位置するように、前記出射光の光軸を中心として光軸から遠ざかる方向に相対的にずれた位置に形成されていることを特徴とするカメラ用データ写し込み装置。
【請求項２】
請求項１において、前記透光セグメントと、当該透光セグメントに対応する前記セグメントとの間の相対的なずれ量は、前記出射光の拡散角および前記光源から前記遮光マスクあるいは前記液晶パネルに到る光路部分の光屈折率のうちの少なくとも一方を考慮して決定されていることを特徴とするカメラ用データ写し込み装置。
【請求項３】
透光状態に切換え可能な複数のセグメントによって写真フィルムに写し込まれるデータパターンを形成可能な液晶パネルと、写し込み可能なデータパターンに対応する複数の透光セグメントを備えた遮光マスクとを有し、前記液晶パネル側の前記セグメントの幅方向の中心位置と、前記遮光マスク側の前記透光セグメントの幅方向の中心位置とが一致するように配置され、光源からの出射光を、前記液晶パネルおよび前記遮光マスクを介して取り出して写真フィルムの写し込み面を露光することによりデータの写し込みを行うカメラ用データ写し込み装置において、
前記液晶パネルの光入射側に前記遮光マスクが配置されており、前記液晶パネルのすくなくとも一つの前記セグメントは、当該セグメントに対応する前記遮光マスクの側の前記透光セグメントに対して、前記透光セグメントの透過光による前記液晶パネル上の照明領域が当該セグメントに包含されるように、前記出射光の光軸を中心として光軸から遠ざかる方向に相対的にずれた位置に形成されていることを特徴とするカメラ用データ写し込み装置。
【請求項４】
請求項３において、前記透光セグメントと、当該透光セグメントに対応する前記セグメントとの間の相対的なずれ量は、前記出射光の拡散角および前記光源から前記遮光マスクあるいは前記液晶パネルに到る光路部分の光屈折率のうちの少なくとも一方を考慮して決定されていることを特徴とするカメラ用データ写し込み装置。
【発明の詳細な説明】
【０００１】
【発明の属する技術分野】
本発明は、液晶パネルによって形成したデータパターンを写真フィルムに写し込むためのカメラ用データ写し込み装置に関するものである。更に詳しくは、本発明は、データ写し込み用光源から液晶パネルまでの光路長が短くなった場合やその拡散角が大きくなった場合でも鮮明なデータ画像を写し込み可能なカメラ用データ写し込み装置に関するものである。
【０００２】
【従来の技術】
図７には、カメラ内で写真フィルムに日付等のデータを写し込むためのデータ写し込み装置の一般的な構造を示してある。この図に示すように、カメラ用データ写し込み装置１００は、カメラ本体の裏蓋１０１と、カメラ本体内において裏蓋１０１と略平行に配置された圧板１０２との間の空間に装着されている。圧板１０２における裏蓋１０１とは反対側の面は、この面に沿ってフィルム１０３が配置されるフィルム配置部となっている。このフィルム１０３に対して、圧板１０２に開けた開口１０２ａを介して撮影日時等のデータを写し込み可能となっている。
【０００３】
カメラ用データ写し込み装置１００は、第１の枠板１１１と第２の枠板１１２の間に、ＩＣチップ１１３が搭載された回路基板１１４、モニター用液晶表示器１１５、データ写し込み用液晶表示器１１６が挟まれた構造となっている。双方の枠板１１１、１１２は、第２の枠板の側に形成した複数本のだぼ１１２ａを第１の枠板の側に形成した貫通１１１ａに通してその頭をかしめることにより、双方が固定されている。第２の枠板１１２には、その内面側に、各種のデータを操作者に表示するためのモニター用液晶表示器１１５が取付け固定されており、この表示器１１５の表面にはそれを保護するカバーガラス１２１が取付けられており、このカバーガラス１２１の表面は、カメラ裏蓋１０１に開けた開口１０１ａから外部に露出している。第１の枠板１１１における内面側には、裏板１０２に開けた開口１０２ａに対峙する位置にデータ写し込み用液晶表示器１１６が取付けられている。
【０００４】
回路基板１１４に搭載したＩＣチップ１１３はモールド材１２２によって覆われて保護されている。この回路基板１１４からモニター用液晶表示器１１５に対しては、可撓性のコネクタ板１２３を介して駆動信号等が供給される。このコネクタ板１２３は、表示器１１５を裏面側から第２の枠板１１２の側に押し付け固定するための支持板として機能する。コネクタ板１２３は、スペーサ板１２４によって、倒れが防止されるようになっていると共に、この板１２４によって表示器１１５の傾きが防止される。同様に、反対側に位置しているデータ写し込み用液晶表示器１１６も、左右一対のコネクタ板１２５、１２６によって回路基板１１４の側に電気的に接続されていると共に、これらによって、第１の枠板１１１の側に押し付け固定されている。なお、この構成のデータ写し込み装置１００は、取付け板１２７によって、カメラ本体の内部に固定されている。
【０００５】
図８（Ａ）には、データ写し込み用液晶表示器１１６を備えたデータ写し込み用光学系を模式的に示してある。この光学系を構成する各部分も、データ写し込み装置１００に組み込まれている。データ写し込み用液晶表示器１１６は、一対の電極基板間に液晶剤が封入された液晶パネル２０１を備え、写真フィルム１０３に写し込むデータパターンを透光部分として形成可能な構造となっている。光源ランプ２０２の出射光は、反射ミラー２０３によって液晶パネル２０１に導びかれ、液晶パネル２０１で余分な光が遮断された後に、写真フィルム１０３に導かれる。この結果、データパターンに対応するデータ画像がフィルム１０３に写し込まれる。
【０００６】
液晶パネル２０１による遮光のみでは余分な光を遮断するのに不十分なので、液晶パネル２０１の透光部分を通過して写真フィルム１０３に写し込まれるデータ画像は輪郭が不鮮明になってしまう。これを回避するために、従来においては、光源ランプ２０２と液晶パネル２０１の間に遮光マスク２０６を配置して余分な光を遮断している。
【０００７】
図８（Ｂ）に示すように、この目的のために配置される遮光マスク２０６は、データパターンを形成する液晶パネル２０１の側の各セグメント２０７と重なる領域に、対応する形状をした複数の透光セグメント２０８ａから規定される透光部と、これ以外の領域に形成された遮光部２０９とからなる遮光マスク面２１０を備えた構成となっている。したがって、この遮光マスク２０６を配置することによって、液晶パネル２０１に照射される光から余分な光が遮断される。
【０００８】
なお、遮光マスク２０６としては、めっきや蒸着等の成膜法によって金属膜を所定のパターンでガラス基材上に形成し、金属膜のない部分を透光部２０８としたものが一般的である。
【０００９】
【発明が解決しようとする課題】
上記構成のカメラ用データ写し込み装置では、遮光マスク２０６を備えているので、液晶パネル２０１に入射する光からは余分な光を遮断できる。しかし、液晶パネル２０１を通過する際にも光は拡散する。このために、このような拡散に起因するデータ像の不鮮明さは依然として解消できない。この弊害を回避するためには、遮光マスク２０６を液晶パネル２０１における光の出射側の面に配置することが考えられる。
【００１０】
本願人は、このような弊害を回避するために、図９（Ａ）に示すように、液晶パネル２０１を構成する２枚のガラス製の電極基板２０１ａ、２０１ｂの両側に偏光板２１１、２１２を貼り付けると共に、光出射側の偏光板２１１の表面に遮光マスク２１３を貼り付けた構造を提案している。このように、遮光マスク２１３を液晶パネル２０１の出射側に配置すれば、液晶パネル２０１を透過する光の拡散に起因するデータ画像の不鮮明化を防止できる。
【００１１】
ここで、カメラ用データ写し込み装置においては、一般に、そのデータ写し込み用の光源から液晶パネルまでの光路長、出射光の拡散角等は一定の値とされているが、装置の小型化、コンパクト化のために、例えば、光路長を短くする必要性も生ずる。写し込み可能なデータパターンの配列方向の長さを一定のままとすると、光路長を短くすれば、必然的に出射光の拡散角も大きくなる。この結果、写し込まれるデータパターンの配列方向の両端のデータ画像が不鮮明になるおそれがある。
【００１２】
この理由は次の通りである。図９（Ａ）に示すように、光源ランプ２０２から出射されて液晶パネル２０１に入射する光の拡散角θは、出射光の中心光軸Ｌ１から当該光軸に直交する方向への距離に伴って大きくなる。従って、写し込み可能なデータパターン２２０の両端のパターンに対応する液晶パネル２０１のセグメント部分を照射する光の拡散角が最も大きくなる。
【００１３】
図９（Ｂ）には、データパターン２２０の一方の端部（図９（Ａ）において破線で囲んだ部分）を拡大して示してある。この図に示すように、液晶パネル２０１において一対のガラス製電極基板２０１ａ、２０１ｂの間の液晶層２０１ｃに形成される透光状態に切り換え可能なセグメントのうちの最も端に位置するセグメント２３０の透過幅を２本の想像線によって表示してある。ここで、液晶パネルの構成部材の光屈折率を無視すれば、セグメント２３０を透過した光は、出射光の拡散角θの角度で真っ直ぐに進行する。
【００１４】
しかるに、遮光マスク２０６の遮光マスク面２１０に形成されている透光セグメント２０８ａは、光軸Ｌ１に直交する平面内において液晶パネル側の対応するセグメント２３０に一致する位置に形成されている。一般には、液晶パネル側において液晶パネル電極パターンによって形成される透光状態に切り換え可能なセグメント２３０の幅は、遮光マスク側の透光セグメント２０８ａの幅よりも広く、遮光マスク側の透光セグメント２０８ａの幅方向の中心位置と液晶パネル側の対応するセグメント２３０の幅方向中心位置とが一致する配置関係とされている。
【００１５】
このため、一定の拡散角θで液晶パネル側の透光状態に切り換わったセグメント２３０を透過した光は、遮光マスク２０６の遮光マスク面２１０に至ったときには、遮光マスク側の透光セグメント２０８ａに対して光軸Ｌ１に直交する方向にずれた照明領域２４０を形成する。この照明領域２４０の中に、遮光マスク側の透光セグメント２３０の全てが納まった状態であれば問題はない。しかし、例えば、拡散角θが大きい場合、使用する液晶パネルの電極基板が厚い場合等では、照明領域２４０が透光セグメント２３０から外れた位置に形成される可能性がある。
【００１６】
図９（Ｂ）に示すように、照明領域２４０の一部が透光セグメント２３０から外れた場合には、液晶パネル側のセグメント２３０を透過した光のうち、斜線で示す部分の光２５０が遮光マスク側の遮光部によって遮断されてしまう。この結果、図９（Ｃ）に示すように、写真フィルム上に形成されるデータパターンに対応する透過光パターンのうちの一部が欠けてしまい、鮮明なデータ画像を形成できなくなってしまう。
【００１７】
このようなデータ写し込み用の透過光の部分的な欠落はデータパターンの両端において現れる可能性が最も高いが、その他の部分においても、液晶パネル側のセグメントを透過した光による遮光マスク側の遮光マスク面上に形成される照明領域は、図１０に示すように、光軸Ｌ１から遠ざかる方向にずれるので、発生する可能性がある。この図において、太線により遮光マスク側の透光セグメントを示し、想像線によって液晶パネル側のセグメントを示し、破線によって、液晶パネル側のセグメントを通過した透過光により遮光マスク上に形成される照明領域を示してある。
【００１８】
しかしながら、従来においては、このような液晶パネル側のセグメントの透過光による遮光マスク面上の照明領域が光軸から遠ざかる方向にずれることに起因した弊害については何ら着目されておらず、従って、その解決法等についても何ら提案されていない。
【００１９】
本発明の課題は、液晶パネルを透過した透過光による遮光マスク上の照明領域が当該遮光マスクの透光セグメントに対してずれることに起因する写し込みデータ画像の欠落、鮮明度の低下等の弊害を回避可能なカメラ用データ写し込み装置を提案することにある。
【００２０】
【課題を解決するための手段】
上記の課題を解決するために、本発明は、透光状態に切り換え可能な複数のセグメントによって写真フィルムに写し込まれるデータパターンを形成可能な液晶パネルと、写し込み可能なデータパターンに対応する複数の透光セグメントを備えた遮光マスクとを有し、光源からの出射光を、前記液晶パネルおよび前記遮光マスクを介して取り出して写真フィルムの写し込み面を露光することによりデータの写し込みを行うカメラ用データ写し込み装置において、前記液晶パネルの光出射側に前記遮光マスクを配置すると共に、当該遮光マスクの少なくとも一つの前記透光セグメントを、当該透光セグメントに対応する前記液晶パネルの前記セグメントに対して、前記セグメントの透過光による前記遮光マスク上の照明領域内に前記透光セグメントが位置するように、前記出射光の光軸に直交する方向に相対的にずれた位置に形成した構成を採用している。
【００２１】
このように構成した本発明のカメラ用データ写し込み装置では、前記液晶パネル側の透光状態の前記セグメントを透過した光によって、前記遮光マスク側における対応する前記透光セグメントの全ての部分が照明される。従って、光源から液晶パネルまでの光路長を短くした場合、光源からの出射光の拡散角が大きくなった場合においても、写し込まれるデータパターンの一部、特に両端に位置するパターンが部分的に欠落したり、露光不足により部分的に不鮮明になる等といった弊害を回避できる。
【００２２】
ここで、前記透光セグメントを、対応する前記セグメントに対して、前記の写し込み可能なデータパターンの配列方向に沿って前記光軸から遠ざかる方向に相対的に移動した位置に形成すればよい。この理由は、一般的に写し込まれるデータパターンは一列の文字記号列であり、データパターンの配列方向に直交する方向は写し込まれるデータパターン１個分の寸法であるので、当該方向における液晶パネルを透過した光による遮光マスク側の照明領域のずれは極めて少ないので、特に考慮しなくても実用上の弊害とはならないからである。
【００２３】
また、前記透光セグメントと、当該透光セグメントに対応する前記セグメントとの間の相対的移動量は、前記出射光の拡散角および前記光源から前記遮光マスクに到る光路部分の光屈折率のうちの少なくとも一方を考慮して決定すればよい。
【００２４】
一方、本発明においては、前記遮光マスクを、前記液晶パネルの光出射側ではなく光入射側に配置した構成を採用しても良く、この場合には、前記液晶パネルの少なくとも一つの前記セグメントを、当該セグメントに対応する前記遮光マスクの前記透光セグメントに対して、前記透光セグメントの透過光による前記液晶パネル上の照明領域が前記セグメントに包含されるように、前記出射光の光軸に直交する方向に相対的にずれた位置に形成した構成を採用すればよい。
【００２５】
【発明の実施の形態】
以下に図面を参照して、本発明を適用したカメラ用データ写し込み装置を説明する。
【００２６】
（全体構成）
図１はカメラ用データ写し込み装置１の平面図であり、図２はその分解斜視図である。これらの図に示すように、カメラ用データ写し込み装置１は、第１の枠板２と第２の枠板３の間に、ＩＣチップ４が搭載された回路基板５が挟まされた構造となっている。
【００２７】
第１の枠板２には、その内側表面２ａに例えば７本のだぼ２１乃至２７が垂直に一体形成されている。また、矩形の凹部２８が形成され、そこには矩形の開口２８ａが形成されている。この凹部２８がデータ写し込み用液晶表示器６の装着部である。この液晶表示器６は、２枚のコネクタ板６ａ、６ｂを介して、回路基板５の側に電気的に接続されている。
【００２８】
回路基板５には、ＩＣチップ４の他に、データ写し込み用のランプ５１、スイッチ群５２、カメラ本体側との接続端子群５３などが搭載されている。ＩＣチップ４はその表面がモールド材４１によって覆われて保護されている。また、回路基板５には、第１の枠板２に形成しただぼ２１乃至２７を通すための貫通孔あるいは貫通用切り欠き部５０１乃至５０７が形成されている。
【００２９】
第２の枠板３には、上記の第１の枠板２に形成した７本のだぼ２１乃至２７がそれぞれ貫通する貫通孔３１乃至３７が形成されている。また、ＩＣチップの搭載部分にほぼ対峙する部分には、その外側表面３ａの側に、モニター用液晶表示器７の装着部３０１が形成されており、外側からこの装着部３０１に表示器７が装着され、その上から表示器固定枠８を取り付けるようになっている。この固定枠８にも、だぼ２１、２２、２６の貫通孔８１、８２、８６が形成されている。なお、モニター用液晶表示器７は、コネクタ板７ａを介して、回路基板５の側に電気的に接続されている。
【００３０】
データ写し込み用液晶表示器６は、コネクタ板６ａ、６ｂを介して回路基板５上のＩＣチップ４からデータ信号が供給される。この表示器は例えば７セグメント表示部を複数個配列した構成となっており、各表示部が写し込みデータ用の１文字の形状を形成する。公知のように、写し込みデータに対応する部分（オンセグメント）が透光状態になり、それ以外の部分（オフセグメント）は遮光状態のままに保持される。したがって、ランプ５１からの出射光は、透光部分を通過して写し込みデータに対応する文字等がフィルム上に写し込まれる。
【００３１】
本例のデータ写し込み装置１は、上記の各構成部品を一方の側から組み付けることができる一方向組み付け構造体となっている。すなわち、図２を参照して説明すると、まず、第１の枠板２をその内側表面２ａが上を向く状態に設置する。この状態で、第１の枠板２の表示器装着部である凹部２８に、データ写し込み用液晶表示器６を装着し、その上に、２枚のコネクタ板６ａ、６ｂを乗せる。
【００３２】
次に、回路基板５を、第１の枠板２の各だぼ２１乃至２７を対応する貫通孔あるいは貫通用切り欠き部５０１乃至５０７に一致するように位置合わせし、この状態で回路基板５を第１の枠板２の上に重ねる。次に、同じようにして、第２の枠板３を、第１の枠板２の各だぼ２１乃至２７が対応する貫通孔３１乃至３７に入るように位置合わせし、この状態で、回路基板５の上に枠板３を重ねる。
【００３３】
この後は、第２の枠板３の外側面３ａに形成されている表示器装着部３０１に、最初にコネクタ板７ａを組み付けた後に、モニター用液晶表示器７をその上側から装着する。装着後に、表示器固定枠８を、だぼ２１、２２、２６に対して対応する貫通孔８１、８２、８６を合わせた状態で表示器７の上に重ねる。
【００３４】
このようにして、第１の枠板２の上に、同一の側から各構成部品を組み付ける。この後は、各だぼ２１乃至２７の先端を熱的にあるいは機械的に押し潰してかしめる。
【００３５】
なお、本例のデータ写し込み装置１も、図７に示す従来の装置１００と同様に、カメラ本体に形成された装着部分に取付け固定されるようになっており、取付けられた状態においては、図７の場合と同様に、モニター用液晶表示器７がカメラ本体裏蓋１０１の開口１０１ａを介して外部から目視可能となり、また、データ写し込み用液晶表示器６は、カメラ本体内の圧板１０２の開口１０２ａを介して、フィルム１０３に対峙する状態に設定される。
【００３６】
図３には図１のＩＩＩ−ＩＩＩ線に沿って切断したデータ写し込み用光学系の部分を示してある。この図に示すように、回路基板５の上に搭載したランプ５１からは回路基板の面とほぼ平行に光が出射する。データ写し込み用液晶表示器６の配置位置に対峙している第２の枠板３の側の部分には、光路Ｌに対して４５度の傾斜角度で反射ミラー５５が取付けられており、このミラー５５によって光路Ｌは液晶表示器６の側に向けて直角に折れ曲がっている。ミラー５５によって反射した光は、データ写し込み用液晶表示器６の透光部を通って、カメラ本体側の圧板１０２の開口１０２ａを通って反対側に位置しているフィルム１０３を照射する。
【００３７】
図３および図４を参照してデータ写し込み用液晶表示器６の構成を説明する。データ写し込み用液晶表示器６は、ネガタイプで点灯電極部が透過するものであり、一対のガラス製の電極基板６０１、６０２の間に液晶剤６０３（図４（Ｂ）参照）が封入された液晶パネル６０４と、この液晶パネル６０４に対して光源側、すなわちランプ５１の側に配置された入射側偏光板６０５と、液晶パネル６０４に対してフィルム１０３の側に配置された出射側偏光板６０６を備えた構成となっている。
【００３８】
液晶パネル６０４は、光入射側に位置する電極基板６０１（以下、光入射側電極基板という。）と、光出射側に位置する電極基板６０２（以下、光出射側電極基板という。）との間に液晶剤６０３が封入されていると共に、光入射側電極基板６０１および光出射側電極基板６０２の液晶剤封入側の表面には液晶駆動用の対向透明電極６１０、６１１が形成されている。液晶剤６０３は、シール剤６０７によって光入射側および光出射側電極基板６０１、６０２の間に封入されている。上記の対向透明電極６１０、６１１によって、１文字を７セグメントで表示する７セグメント表示部分およびコロン、カンマ等のセグメント表示部分を含む表示部６００ａが形成されている。
【００３９】
ここで、セグメント表示部６００ａ以外の部分を通過する不要光を遮断すると共に、液晶の配向不良等による光抜けを防止するために、光出射側に遮光マスク６２２を備えている。この遮光マスク６２２は、図４（Ａ）から分かるように、液晶パネル６０４が形成するデータパターンの形成領域であるセグメント表示部６００ａに対して後述のような対応関係となっている位置に、複数の透光セグメントから構成されている透光部６２２ａが形成され、それ以外の部分は遮光部分６２２ｂとなっている。図４（Ａ）においては、遮光部分６２２ｂを斜線で示し、透光部６２２ａを白抜き領域として示してある。この光出射側遮光マスク６２２は、例えば、透明基板６２２ｃの偏光板６０６の側の表面に、ニッケルやクロム等の金属蒸着膜を形成した構成、あるいは金属メッキを形成した構成とすることができる。
【００４０】
（液晶パネル側のセグメントと遮光マスク側の透光セグメントの配置関係）
図５、図６を参照して、上記構成のカメラ用データ写し込み装置１における液晶パネル６０４の側のセグメント表示部６００ａを構成している各セグメントと、光出射側遮光マスク６２２の透光部６２２ａを構成している各透光セグメントとの配置関係を説明する。
【００４１】
図５（Ａ）に示すように、光源５１からの出射光は拡散角θで拡散して液晶パネル６０４に入射する。液晶パネル６０４のセグメント表示部６００ａにおいて透光状態に切り換わったセグメントを透過した光は、遮光マスク６２２の透光部６２２ａにおける対応する透光セグメントを照明する。ここで、液晶パネル６０４のセグメント表示部６００ａと遮光マスク６２２の透光部６２２ａの間には、電極基板６０２および光出射側偏光板６０６の厚さに相当する距離がある。従って、液晶パネル６０４を透過した光はその分光軸５１ａから遠ざかる方向に全体としてずれた照明領域を遮光マスク６２２の透光部６２２ａ上に形成する。本例では、このようにずれた照明領域内に遮光マスク側の透光部６２２ａを構成している各透光セグメントが位置するように設定されている。
【００４２】
図５（Ｂ）は、図５（Ａ）において丸で囲ってある遮光マスク上の透光部６２２ａにおける光軸５１ａから最も遠い端に位置している透光セグメントの部分を取り出して拡大して示してある。この図に示すように、液晶パネル６０４において一対の電極基板６０１、６０２の間の液晶層６０３に形成されるセグメント表示部６００ａを構成するセグメントのうちの最も端に位置する一つのセグメント６３０の透過幅を２本の想像線によって表示してある。液晶パネル６０４の構成部材の光屈折率を無視すれば、セグメント６３０を透過した光は、出射光の拡散角θの角度で真っ直ぐに進行する。この結果、セグメント６３０を透過した光は、遮光マスク６２２の側の遮光マスク面上、すなわち透光部６２２ａにおいては、セグメント６３０よりも光軸５１ａから遠ざかる方向にずれた位置に照明領域６４０を形成する。
【００４３】
本例では、遮光マスク６２２の側の遮光マスク面に形成されている透光部６２２ａを構成する複数の透光セグメントのうち、液晶パネル側のセグメント６３０に対応する透光セグメント６６０は、当該照明領域６４０の中に包含される状態となるように、その形成位置が決定されている。すなわち、照明領域６４０がずれる分だけ、透光セグメント６６０を光軸５１ａから離れる方向に向けてデータパターンの配列方向に移動した位置に形成してある。
【００４４】
従って、従来のように、透光セグメント６６０の一部が照明領域６４０からはみ出た状態（図９参照）が形成されることがない。よって、写し込まれるデータパターンの一部に欠落、あるいは露光不足による鮮明度の低下等の弊害が発生することがない。
【００４５】
本例では、図５（Ｃ）に示すように、データパターンの端部に位置する遮光マスク上の透光セグメント６６０以外の透光セグメントも同様にして、液晶パネル側の対応するセグメントを透過する光による照明領域内に位置するように、それらの形成位置が決定されている。また、図６に示すように、端部以外の部分のデータパターンを形成するための部分においても、液晶パネル側の対応するセグメントを透過する光による照明領域内に遮光マスク側の透光セグメントが位置するように、それらの相対的な位置関係が決定されている。なお、図において、太線により遮光マスク側の透光セグメントを示し、想像線によって液晶パネル側のセグメントを示し、破線によって、液晶パネル側のセグメントを通過した透過光により遮光マスク上に形成される照明領域を示してある。
【００４６】
ここで、上記の説明では、理解を容易にするために、液晶パネル等を構成している各部材の光屈折率を無視している。しかし、実際上においては、光源５１から遮光マスク６２２の透光セグメント６５０に到る間の光路上に位置している各構成部品の光屈折率も考慮して、透光セグメント６５０の形成位置を決定することが望ましい。
【００４７】
また、液晶パネル６０４の側のセグメント６３０と遮光マスク６２２の側の透光セグメント６５０の位置関係は、いずれか一方の側の形成位置を決定した後に、他方の側の形成位置を相対的に決定すればよい。従って、いずれの側を基準としてもよい。
【００４８】
さらに、上記の説明では、データパターンの配列方向についてのみ、液晶パネル側のセグメント６３０の位置と遮光マスク側の透光セグメント６５０の位置との相対関係を考慮している。この理由は、データパターンの配列方向とは直交する方向においては、通常は、データパターンは一列であるので、当該方向では１文字分の高さ寸法しかないので、特に、相対関係を考慮しなくても、実用上において問題が発生する可能性は少ないからである。従って、この方向においても、それらの相対関係を考慮すれば、データパターンの写し込み画像の鮮明度を一層改善できることは勿論である。
【００４９】
なお、本発明は、上記構成の液晶表示器６とは異なる構造の液晶表示器を備えたカメラ用データ写し込み装置に対しても同様に適用できる。すなわち、図８（Ｂ）に示すように、液晶パネルの光入射側に遮光マスクが配置されている構成の液晶表示器を備えたカメラ用データ写し込み装置に対しても適用可能である。
【００５０】
【発明の効果】
以上説明したように、本発明のカメラ用データ写し込み装置においては、液晶パネルの透光状態となったセグメントを透過した光による遮光マスク上の照明領域内に当該遮光マスクに形成した透光セグメントが位置するようにしてある。あるいは、遮光マスクの透光セグメントを透過した光による液晶パネル上の照明領域が当該液晶パネルの対応するセグメント内の領域に形成されるようにしてある。従って、本発明によれば、データ写し込み用の光源から液晶パネルまでの光路長を短くした場合、光源からの出射光の拡散角を大きくした場合、液晶パネル等の光路上に位置する構成部品の光屈折率を大幅に変更した場合等において、写真フィルムに写し込まれるデータパターンの一部に、画像の欠落や、露光不足による不鮮明部分が出来てしまうといった弊害を回避できる。
【図面の簡単な説明】
【図１】本発明の一実施例のカメラ用データ写し込み装置の概略平面図である。
【図２】図１の装置の分解斜視図である。
【図３】図１のＩＩＩ−ＩＩＩ線で切断した部分の概略断面図である。
【図４】図１の装置のデータ写し込み用表示器を示す図であり、（Ａ）はその表示部を示す部分斜視図、（Ｂ）はその断面構成を示す説明図である。
【図５】本発明による液晶パネル側のセグメントと遮光マスク側の透光セグメントの配置関係を説明するための図であり、（Ａ）は光源からの出射光の拡散角に起因した液晶パネルを透過した光による遮光マスク上の照明領域のずれを示す説明図であり、（Ｂ）は（Ａ）におけるデータパターン列の端に位置する液晶パネルの部分を拡大して示す説明図であり、（Ｃ）は液晶パネル上のセグメントと、当該セグメントを透過した光による遮光マスク上の照明領域と、遮光マスク上に形成した透光セグメントの位置関係を示す説明図である。
【図６】本発明による液晶パネル側のセグメントと遮光マスク側の透光セグメントの配置関係を説明するための説明図である。
【図７】カメラ用データ写し込み装置の従来の構造を示す概略断面図である。
【図８】図７のカメラ用データ写し込み装置に組み込まれているデータの写し込みのための光学系を模式的に示す説明図である。
【図９】従来における液晶パネル側のセグメントと遮光マスク側の透光セグメントの配置関係および当該関係に基づく弊害を説明するための説明図である。
【図１０】従来における液晶パネル側のセグメントと遮光マスク側の透光セグメントの配置関係および当該関係に基づく弊害を説明するための説明図である。
【符号の説明】
１    カメラ用データ写し込み装置
２    第１の枠板
３    第２の枠板
７    モニター用液晶表示器
１０３  写真フィルム
６０１  光入射側電極基板
６０２  光出射側電極基板
６０４    液晶パネル
６１０、６１１  透明電極
６２２    遮光マスク
６３０    液晶パネル側の透光状態のセグメント
６４０    液晶パネルを透過した光による遮光マスク上の照明領域
６６０    遮光マスク上に形成した透光セグメント
【図１】
0003750236.tif 000002
【図２】
0003750236.tif 000003
【図３】
0003750236.tif 000004
【図４】
0003750236.tif 000005
【図５】
0003750236.tif 000006
【図６】
0003750236.tif 000007
【図７】
0003750236.tif 000008
【図８】
0003750236.tif 000009
【図９】
0003750236.tif 000010
【図１０】
0003750236.tif 000011